(57)【要約】【課題】可動自在に保持されるスクリーンとスクリーンフレームとが輸送時の衝撃で接触して破損するのを防止すること。【解決手段】スクリーン１０と、スクリーン１０を可動自在に保持するスクリーンフレーム２０とを有し、光源から出射された光を画像に応じて空間的に変調してスクリーン１０に投影する投射型映像装置であって、スクリーン１０をスクリーンフレーム２０に対し固定する第１の状態と、スクリーン１０をスクリーンフレーム２０に対し可動自在とする第２の状態とを取り得るスクリーン固定部品３０を備える。【選択図】        図３
2010039130.tif 000002
【特許請求の範囲】
【請求項１】
スクリーンと、該スクリーンを可動自在に保持するスクリーンフレームとを有し、光源から出射された光を画像に応じて空間的に変調して前記スクリーンに投影する投射型映像装置であって、
前記スクリーンを前記スクリーンフレームに対し固定する第１の状態と、前記スクリーンを前記スクリーンフレームに対し可動自在とする第２の状態とを取り得るスクリーン固定部品を備えることを特徴とする投射型映像装置。
【請求項２】
前記スクリーンと前記スクリーンフレームとの間には隙間が形成され
前記スクリーンフレームには、長孔およびネジが挿入される第１孔が形成され、
前記スクリーン固定部品は、
前記スクリーンに取り付けられ、ネジ孔が形成されるネジ孔形成部を有し、該ネジ孔形成部が突出されている第１部品と、
前記ネジが挿入される第２孔を有し、該第２孔が形成される部分の厚みが前記第１部品のネジ孔形成部と前記スクリーンフレームとの隙間に対応する寸法を有し、前記スクリーンと前記スクリーンフレームとの間の隙間に配設される第２部品と、
前記スクリーンフレームの外側における長孔が形成された部分に配設される第３部品と、
前記長孔に挿入されて前記第２部品と前記第３部品とを連結する連結ピンと、
前記スクリーンフレームの第１孔、前記第２部品の第２孔および前記第１部品のネジ孔に挿入されて前記スクリーンを前記スクリーンフレームに対し固定する前記ネジと、
を備え、前記ネジを取り付けて前記スクリーンと前記スクリーンフレームとを固定して前記第１の状態とした場合には、前記第２部品を前記第１部品のネジ孔形成部と前記スクリーンフレームとの隙間に介在させ、前記ネジを取り外して前記スクリーンと前記スクリーンフレームとの固定を解除して前記第２の状態とした場合には、前記第２部品、前記第３部品および前記連結ピンを前記スクリーンフレームに対しスライドさせて、前記第３部品によって前記スクリーンフレームに形成された前記第１孔を覆うとともに、前記第２部品と前記第１部品の接触を解除するようにしたことを特徴とする請求項１に記載の投射型映像装置。
【発明の詳細な説明】
【技術分野】
【０００１】
本発明は、スクリーンフレームに可動自在に保持されるスクリーンを搭載した投射型映像装置に関するものである。
【背景技術】
【０００２】
投射型映像装置において、指向性の強いレーザを光源として用いた場合には、明るい室内でも鮮明な画像を表示できる程度にまで投射型画像表示装置の高輝度化を図ることが比較的容易である。ただし、光源としてレーザを用いた場合には、ランプを光源に用いた場合に比べてスペックルパターンによる画面のぎらつき現象、いわゆるシンチレーションが顕著になる。
【０００３】
上記のシンチレーションを低減する従来の手法として、スクリーンを該スクリーンの画像表示面の垂直方向、スクリーンの長手方向、およびスクリーンの幅方向のいずれかの方向に振動させるものがある（特許文献１参照）。スクリーンは、バイモルフやモータ等を用いた加振装置により上記の方向に振動される。
【０００４】
【特許文献１】特開昭５５−６５９４０号公報
【発明の開示】
【発明が解決しようとする課題】
【０００５】
従来技術では、輸送時に衝撃が加えられた場合、スクリーンがスクリーンを可動可能に保持するスクリーンフレームに接触して、スクリーンまたはスクリーンフレームが破損する問題がある。
【０００６】
本発明は上記に鑑みてなされたものであり、スクリーンフレームと該スクリーンフレームに可動自在に保持されるスクリーンとが輸送時などの衝撃で接触して破損するのを防止することができる投射型映像装置を提供することを目的とする。
【課題を解決するための手段】
【０００７】
上記の目的を達成する本発明の投射型映像装置は、スクリーンと、該スクリーンを可動自在に保持するスクリーンフレームとを有し、光源から出射された光を画像に応じて空間的に変調して前記スクリーンに投影する投射型映像装置であって、前記スクリーンを前記スクリーンフレームに対し固定する第１の状態と、前記スクリーンを前記スクリーンフレームに対し可動自在とする第２の状態とを取り得るスクリーン固定部品を備えることを特徴とする。
【発明の効果】
【０００８】
本発明によれば、スクリーン固定部品によってスクリーンをスクリーンフレームに対し固定する第１の状態と、スクリーンをスクリーンフレームに対し可動自在とする第２の状態とを取り得るようにしたので、輸送前にスクリーン固定部品によってスクリーンをスクリーンフレームに対し固定するようにすれば、輸送時に衝撃が加えられても、スクリーンとスクリーンフレームとが互いに接触しないため、接触による破損を防止することができる。また、通常使用時では、スクリーン固定部品によってスクリーンをスクリーンフレームに対し可動自在とできるので、スクリーンを可動自在に保持する構造の動きを阻害することがない。
【発明を実施するための最良の形態】
【０００９】
以下、本発明の投射型映像装置の実施の形態について、図面を参照して詳細に説明する。なお、本発明は下記の実施の形態に限定されるものではない。
【００１０】
図１は、投射型映像装置の正面外観を示す斜視図であり、図２は、投射型映像装置の裏面外観を示す斜視図である。図１および図２では、スクリーン１０の横方向を矢印Ｄｘ、縦方向を矢印Ｄｙとして表している。図１および図２に示す投射型映像装置１００は、レーザ発振器などの光源を含む照明用光源装置と、照明用光源装置から出射される光を伝搬する照明光学系と、照明された光を空間的に変調し画像信号を与える変調素子と、この変調素子から出力される光をスクリーンに拡大投影する投射光学系と、投射光学系からの光が投射されるスクリーン１０などの表示部とを備えている。
【００１１】
図１、図２に示すように、投射型映像装置１００は、画像を表示する四角形状のスクリーン１０と、スクリーン１０の外周に沿ってスクリーン１０を四方で保持するスクリーンフレーム２０と、スクリーンフレーム２０が取り付けられる筺体４０とを含んで構成される。筐体４０には、前述した照明用光源装置、照明光学系、変調素子、投射光学系などの各種機器が内蔵されている。
【００１２】
スクリーン１０には、加振装置（図示せず）が接続され、加振装置によりスクリーン１０の面内方向および／または幅方向に対する振動が付与される。スクリーン１０の外周とスクリーンフレーム２０との間には、例えばバネなどの弾性部材による保持機構が設けられており、この保持機構によってスクリーン１０はスクリーンフレーム２０に対し可動自在に保持されている。このような構成によって、スクリーン１０をスクリーンフレーム２０に対し振動させて、シンチレーションを低減させている。
【００１３】
次に、輸送時などの際に、スクリーン１０をスクリーンフレーム２０に固定するスクリーン固定部品３０について説明する。図３は、スクリーン固定部品３０の構造を示す分解斜視図である。図４は、スクリーン固定部品によりスクリーンとスクリーンフレームとを固定した状態を示す断面図であり、図５は、スクリーン固定部品によるスクリーンとスクリーンフレームとの固定を解除した状態を示す断面図である。
【００１４】
図３〜図５に示すように、スクリーン固定部品３０は、スクリーン１０に配設される第１部品としてのネジ孔ユニット７０と、スクリーンフレーム２０とネジ孔ユニット７０との隙間に配設される第２部品としてのスペーサユニット６０と、スクリーンフレーム２０の外側すなわち投射型映像装置１００の裏側に配設される第３部品としてのスライドユニット５０と、スペーサユニット６０とスライドユニット５０とを連結する連結ピン５５と、スクリーン１０をスクリーンフレーム２０に固定するためのネジ８０とによって構成されている。これらスクリーン固定部品３０は、図２に示すように、投射型映像装置１００の裏面側の端部４箇所に設けられている。図２では、４つのスライドユニット５０が示されている。
【００１５】
図３に示すスクリーンフレーム２０は、縦枠体を示すものであり、この場合２枚の板材によって構成されているが、１枚の板材によって構成してもよい。スクリーンフレーム２０の一端部には、スクリーン１０の端部が嵌合される断面略コ字状のスクリーン支持部２１が形成されている。スクリーンフレーム２０には、縦方向Ｄｙに延びる長孔２２と第１孔２３が形成されている。
【００１６】
ネジ孔ユニット７０は、スクリーン１０に取り付けられる板材によって構成され、第１孔２３の方に突出した突起部７１と、該突起部７１に設けられてネジ溝が形成されたネジ孔７２とを有している。
【００１７】
スライドユニット５０は、スライド板５２を有し、この場合スライド板５２には、長孔２２を貫通する連結ピン５５が固定されている。連結ピン５５は、スペーサユニット６０の方に固定させるようにしてもよい。スライド板５２は、長孔２２および第１孔２３を覆うことが可能な大きさを有している。
【００１８】
スペーサユニット６０は、連結ピン５５が挿入固定される凹部６１と、ネジ８０が挿入される第２孔６２が形成されたネジ孔形成部６３を有する。長孔２２に挿入される連結ピン５５によってスライドユニット５０とスペーサユニット６０とが連結されることで、スライドユニット５０およびスペーサユニット６０は一体となって移動可能である。ネジ孔形成部６３の厚みは、図４に示すように、ネジ孔ユニット７０の突起部７１とスクリーンフレーム２０との隙間と略同じ寸法を有し、また、スペーサユニット６０のネジ孔形成部６３以外の部分の厚みは、ネジ孔ユニット７０の突起部７１とスクリーンフレーム２０との隙間より短い寸法とする。
【００１９】
かかる構成を有するスクリーン固定部品３０を用いてスクリーン１０をスクリーンフレーム２０に固定する際には、図４に示すように、まず、連結ピン５５によってスペーサユニット６０が連結されたスライドユニット５０を移動させ、ネジ８０が挿入されるスクリーンフレーム２０の第１孔２３を露出させるとともに、第１孔２３の直下にスペーサユニット６０の第２孔６２を位置させる。次に、ネジ８０をスクリーンフレーム２０の第１孔２３、スペーサユニット６０の第２孔６２およびネジ孔ユニット７０のネジ孔７２に挿入し、これらをネジ８０で結合する。これにより、スクリーン１０がスクリーンフレーム２０に固定される。また、この固定の際、スペーサユニット６０のネジ孔形成部６３がスクリーンフレーム２０とネジ孔ユニット７０の突起部７１との間の隙間のスペーサとして働いて、スペーサユニット６０のネジ孔形成部６３がスクリーンフレーム２０とネジ孔ユニット７０の突起部７１とで挟持されるため、スクリーン１０とスクリーンフレーム２０とが一層強固に固定される。
【００２０】
したがって、輸送前に、予めネジ８０によりスクリーン１０とスクリーンフレーム２０とを連結固定することで、輸送時の衝撃でスクリーン１０とスクリーンフレーム２０とが互いに衝突して破損することを防止することができる。スクリーン１０とスクリーンフレーム２０とが輸送の際に破損することを防止できるため、輸送前に投射型映像装置１００を過剰に包装して運搬する必要がなくなり、運搬および保管の際の包装の少量化や、輸送方法の効率化を図ることも容易になる。
【００２１】
また、スクリーン固定部品３０を用いてスクリーン１０の固定を解除する際には、図５に示すように、ネジ８０を外した後、長孔２２の他に第１孔２３を覆うように、連結ピン５５によってスペーサユニット６０が連結されたスライドユニット５０を移動させる。これにより、投射型映像装置１００の光源から出射された光が、長孔２２や第１孔２３から投射型映像装置１００の外側に漏洩することを防止することができるとともに、投射型映像装置１００の外側から投射型映像装置１００の内側に長孔２２や第１孔２３を介して塵が混入するのを防止することができる。また、スライド板５２が長孔２２の他に第１孔２３を覆うことで、投射型映像装置１００の通常使用時の外観を良くすることができる。
【００２２】
上記スライドユニット５０およびスペーサユニット６０の移動によって固定時にスクリーンフレーム２０とネジ孔ユニット７０の突起部７１とで挟持されていたネジ孔形成部６３が移動され、スクリーンフレーム２０とネジ孔ユニット７０の突起部７１との間に隙間が確保され、スクリーン１０を振動させても互いに接触しない状態となる。これにより、スクリーン１０がスクリーンフレーム２０に可動自在に保持されるため、加振装置により振動をスクリーン１０に付加することが可能となり、シンチレーションを軽減することができる。
【００２３】
なお、上記実施の形態では、スクリーン固定部品をスクリーンフレームの縦枠に配設するようにしたが、スクリーンフレームの横枠に配設するようにしてもよいし、縦枠、横枠の双方に配設してもよい。また、スクリーン固定部品としては、上記実施の形態で説明した構造に限らず、スクリーンをスクリーンフレームに対し固定する第１の状態と、スクリーンをスクリーンフレームに対し可動自在とする第２の状態とを取り得るものであれば、他の任意の構成を採用しても良い。
【産業上の利用可能性】
【００２４】
本発明の投射型映像装置は、スクリーンと、該スクリーンを可動自在に保持するスクリーンフレームとを有する投射型映像装置に適用して好適である。
【図面の簡単な説明】
【００２５】
【図１】本発明の投射型映像装置の正面外観を示す斜視図である。
【図２】本発明の投射型映像装置の裏面外観を示す斜視図である。
【図３】スクリーン固定部品の構造を示す分解斜視図である。
【図４】スクリーン固定部品によりスクリーンとスクリーンフレームとを固定した状態を示す断面図である。
【図５】スクリーン固定部品によるスクリーンとスクリーンフレームとの固定を解除した状態を示す断面図である。
【符号の説明】
【００２６】
１０  スクリーン
２０  スクリーンフレーム
２１  スクリーン支持部
２２  長孔
２３  第１孔
３０  スクリーン固定部品
４０  筐体
５０  スライドユニット
５２  スライド板
５５  連結ピン
６０  スペーサユニット
６１  凹部
６２  第２孔
６３  ネジ孔形成部
７０  ネジ孔ユニット
７１  突起部
７２  ネジ孔
８０  ネジ
１００  投射型映像装置
【図１】
2010039130.tif 000003
【図２】
2010039130.tif 000004
【図３】
2010039130.tif 000005
【図４】
2010039130.tif 000006
【図５】
2010039130.tif 000007